(57)【要約】【課題】使用者が情報を見落としたり忘却したりする可能性を低減する。【解決手段】本発明の情報表示装置は、入力された情報を表示する情報表示装置であって、表示部と、前記入力された情報を記憶する記憶部と、所定のタイミングで前記記憶部に記憶されている情報を前記表示部に表示させる制御部と、を有し、前記制御部は、前記入力された情報ごとに、前記情報が入力された入力時刻および前記情報が過去に表示された表示時刻に基づいて前記情報の優先度を算出し、該算出した優先度に応じた順序で前記記憶部に記憶されている情報を前記表示部に表示させる。【選択図】図１
2013205734.tif 000002
【特許請求の範囲】
【請求項１】
入力された情報を表示する情報表示装置であって、
表示部と、
前記入力された情報を記憶する記憶部と、
所定のタイミングで前記記憶部に記憶されている情報を前記表示部に表示させる制御部と、を有し、
前記制御部は、前記入力された情報ごとに、前記情報が入力された入力時刻および前記情報が過去に表示された表示時刻に基づいて前記情報の優先度を算出し、該算出した優先度に応じた順序で前記記憶部に記憶されている情報を前記表示部に表示させることを特徴とする情報表示装置。
【請求項２】
請求項１記載の情報表示装置であって、
前記制御部は、エビングハウスの忘却曲線に基づいて、前記情報の優先度を算出することを特徴とする情報表示装置。
【請求項３】
請求項１または２記載の情報表示装置であって、
前記制御部は、前記情報の優先度に応じて、該情報を表示する表示頻度を決定し、該決定した表示頻度で前記情報を前記表示部に表示させることを特徴とする情報表示装置。
【請求項４】
請求項１から３のいずれか１項に記載の情報表示装置であって、
前記制御部は、前記情報の属性に応じて前記情報の優先度に重み付けを行った値を前記情報の優先度とすることを特徴とする情報表示装置。
【請求項５】
表示部を有する情報表示装置の制御方法であって、
入力された情報を記憶し、
所定のタイミングで、前記入力された情報ごとに、前記情報が入力された入力時刻および前記情報が過去に表示された表示時刻に基づいて前記情報の優先度を算出し、該算出した優先度に応じた順序で前記記憶している情報を前記表示部に表示させることを特徴とする情報表示装置の制御方法。
【請求項６】
請求項５記載の情報表示装置の制御方法であって、
エビングハウスの忘却曲線に基づいて、前記情報の優先度を算出することを特徴とする情報表示装置の制御方法。
【請求項７】
請求項５または６記載の情報表示装置の制御方法であって、
前記情報の優先度に応じて、該情報を表示する表示頻度を決定し、該決定した表示頻度で前記情報を前記表示部に表示させることを特徴とする情報表示装置の制御方法。
【請求項８】
請求項５から７のいずれか１項に５記載の情報表示装置の制御方法であって、
前記情報の属性に応じて前記情報の優先度に重み付けを行った値を前記情報の優先度とすることを特徴とする情報表示装置の制御方法。
【発明の詳細な説明】
【技術分野】
【０００１】
本発明は、入力された情報を表示する情報表示装置およびその制御方法に関する。
【背景技術】
【０００２】
入力された情報を表示する情報表示装置としては、パーソナルコンピュータ、携帯電話、スマートフォン、電光掲示板など種々のものがある。
【０００３】
近年、例えば、送受信されるメールの増加などのように、情報表示装置に入力される情報量が増加している。そのため、情報表示装置に情報が表示されても、その情報を使用者が見落としたり、その情報を見たとしても、忘却してしまったりすることがある。そこで、情報の見落としや忘却を防止するための種々の技術が検討されている。
【０００４】
例えば、特許文献１（特許第３７２４２７０号公報）には、重要度などの情報の属性に基づいて情報の優先度を算出し、その算出した優先度の順に情報を表示する技術が開示されている。
【０００５】
また、別の技術として、入力された情報を一定周期で表示する技術などがある。
【先行技術文献】
【特許文献】
【０００６】
【特許文献１】特許第３７２４２７０号公報
【非特許文献】
【０００７】
【非特許文献１】Memory: A Contribution to Experimental Psychology, Hermann Ebbinghaus, (1885), http://psychclassics.yorku.ca/Ebbinghaus/index.htm.
【発明の概要】
【発明が解決しようとする課題】
【０００８】
特許文献１に開示の技術においては、情報の属性に基づいて算出された優先度の順に情報が表示されるため、ある属性の情報については常に表示が後回しとされてしまう可能性があり、情報の見落としや忘却の防止を十分に図ることができないという問題がある。
【０００９】
また、一般に、人が情報を記憶する際の記憶の定着の度合いに関して、その情報を閲覧した直後は、その情報を記憶しているが、時間が経つにつれて、忘却していくという傾向がある。
【００１０】
一定周期で情報を表示する技術においては、記憶の定着の度合いを考慮することなく、一定周期で情報が表示される。そのため、使用者が閲覧した直後で、十分に記憶している可能性が高い情報も、使用者が閲覧してから長時間が経過し、忘却している可能性が高い情報も区別なく表示されるので、効率的に情報を表示し、情報の見落としや忘却を防止することができないという問題がある。
【００１１】
本発明の目的は、使用者が情報を見落としたり忘却したりする可能性を低減することができる情報表示装置およびその制御方法を提供することにある。
【課題を解決するための手段】
【００１２】
上記目的を達成するために本発明の情報表示装置は、
入力された情報を表示する情報表示装置であって、
表示部と、
前記入力された情報を記憶する記憶部と、
所定のタイミングで前記記憶部に記憶されている情報を前記表示部に表示させる制御部と、を有し、
前記制御部は、前記入力された情報ごとに、前記情報が入力された入力時刻および前記情報が過去に表示された表示時刻に基づいて前記情報の優先度を算出し、該算出した優先度に応じた順序で前記記憶部に記憶されている情報を前記表示部に表示させる。
【００１３】
上記目的を達成するために本発明の情報表示装置の制御方法は、
表示部を有する情報表示装置の制御方法であって、
入力された情報を記憶し、
所定のタイミングで、前記入力された情報ごとに、前記情報が入力された入力時刻および前記情報が過去に表示された表示時刻に基づいて前記情報の優先度を算出し、該算出した優先度に応じた順序で前記記憶している情報を前記表示部に表示させる。
【発明の効果】
【００１４】
本発明によれば、使用者が情報を見落としたり忘却したりする可能性を低減することができる。
【図面の簡単な説明】
【００１５】
【図１】本発明の一実施形態の情報表示装置の構成を示すブロック図である。
【図２】図１に示す情報表示装置の動作の一例を示すフローチャートである。
【図３】図１に示す記憶部に記憶されるデータの一例を示す図である。
【図４】図１に示す記憶部に記憶されるタグ情報の構成の一例を示す図である。
【図５】図１に示す情報表示装置の動作の一例を示すフローチャートである。
【図６】エビングハウスの忘却曲線を示す図である。
【図７】図１に示す記憶部に記憶されるデータの一例を示す図である。
【図８】図１に示す記憶部に記憶されるタグ情報の構成の一例を示す図である。
【図９】図１に示す情報表示装置の動作の一例を示すフローチャートである。
【発明を実施するための形態】
【００１６】
以下に、本発明を実施するための形態について図面を参照して説明する。
【００１７】
図１は、本発明の一実施形態の情報表示装置１０の構成を示すブロック図である。なお、情報表示装置１０は、携帯電話、スマートフォン、パーソナルコンピュータ、電光掲示板などの入力された情報を表示するものである。
【００１８】
情報表示装置１０は、記憶部１１と、表示部１２と、制御部１３と、を有する。
【００１９】
記憶部１１は、制御部１３の制御に従い、文書、画像、映像などの種々の情報を記憶する。
【００２０】
表示部１２は、制御部１３の制御に従い、記憶部１１に記憶されている情報を表示する。
【００２１】
制御部１３は、外部から入力された情報を記憶部１１に記憶させる。また、制御部１３は、記憶部１１に記憶させた情報に対応させて、その情報の入力時刻、および、その情報の表示時刻についてのデータを記憶部１１に記憶させる。また、制御部１３は、所定のタイミングで記憶部１１に記憶されている情報を表示部１２に表示させる。
【００２２】
次に、情報表示装置１０の動作について説明する。
【００２３】
図２は、情報表示装置１０の動作の一例を示すフローチャートである。
【００２４】
まず、制御部１３は、情報が入力されると、その情報に対応させて、情報の入力時刻を記憶部１１に記憶させる。また、制御部１３は、情報が表示部１２に表示されると、表示時刻をその情報に対応させて記憶部１１に記憶させる。
【００２５】
所定のタイミングになると、制御部１３は、各情報に対応して記憶部１１に記憶されている情報の入力時刻および表示時刻についてのデータを取得する。さらに、制御部１３は、取得したデータに基づいて、各情報の忘却率を算出する（ステップＳ２１）。なお、所定のタイミングとは、情報表示装置１０が起動されたタイミング、情報を表示する旨が使用者により入力されたタイミングなどがある。また、忘却率の算出の詳細については後述する。
【００２６】
次に、制御部１３は、各情報の忘却率を各情報の優先度とし、各情報の優先度に応じて、各情報の表示順序を決定する（ステップＳ２２）。ここで、制御部１３は、例えば、入力時刻や表示時刻が現在時刻に近い情報ほど、表示順序が高くなるようにする。また、制御部１３は、各情報の優先度に応じて、各情報の表示頻度を決定する。ここで、制御部１３は、例えば、入力時刻や表示時刻が現在時刻に近い情報ほど、表示頻度が高くなるようにする。なお、各情報の表示頻度が異なるため、制御部１３は、所定のタイミングにおいて表示対象となる情報を特定し、その特定した各情報の優先度に応じて、表示順序を決定する。
【００２７】
次に、制御部１３は、決定した表示順序に従い、情報を表示部１２に表示させる（ステップＳ２３）。
【００２８】
次に、制御部１３は、情報が閲覧されたか否かを判定する（ステップＳ２４）。なお、本実施形態においては、閲覧とは、表示部１２に情報が表示されることをいうものとする。
【００２９】
閲覧された情報がない（例えば、表示対象の情報がない）場合には（ステップＳ２４：Ｎｏ）、制御部１３は、処理を終了する。
【００３０】
閲覧された情報がある（表示部１２に表示された情報がある）場合には（ステップＳ２４：Ｙｅｓ）、制御部１３は、その情報の表示時刻についてのデータを更新し（ステップＳ２５）、処理を終了する。
【００３１】
以下、情報表示装置１０の動作について、より詳細に説明する。
【００３２】
まず、情報表示装置１０が携帯電話、スマートフォン、パーソナルコンピュータなどであり、表示対象の情報が受信メールである場合を例として説明する。
【００３３】
制御部１３は、受信メールが入力されると、その受信メールに関するデータを記憶部１１に記憶させる。
【００３４】
図３は、記憶部１１に記憶されるデータの構成の一例を示す図である。
【００３５】
図３に示すように、記憶部１１は、受信メールごとに、件名、本文、受信時刻、差出人、宛先、タグ情報、および、過去のその受信メールの表示時刻などを記憶する。なお、タグ情報とは、受信メールの属性を示す情報である。
【００３６】
図４は、図３に示すタグ情報の構成の一例を示す図である。
【００３７】
図４に示すように、記憶部１１は、受信メールごとに、タグ情報として、その受信メールが並び替えの対象であるか否か、その受信メールが未読であるか否か、その受信メールの重要度、その受信メールが仕事に関するものであるか、プライベートに関するものであるかなどの項目を記憶する。なお、以下では、タグ情報に含まれる項目をタグと称する。タグ情報は、例えば、使用者により設定される。
【００３８】
図５は、表示対象の情報が受信メールである場合の情報表示装置１０の動作の一例を示すフローチャートである。
【００３９】
所定のタイミングになると、制御部１３は、各受信メールの受信時刻、過去の表示時刻およびタグ情報に関するデータを記憶部１１から取得する（ステップＳ５１）。なお、所定のタイミングとは、例えば、メールの送受信を管理するメールクライアントの起動時などである。
【００４０】
次に、制御部１３は、各受信メールの受信時刻および過去の表示時刻に基づいて、各受信メールの忘却率を算出する（ステップＳ５２）。
【００４１】
なお、忘却率は、図６に示すエビングハウスの忘却曲線（非特許文献１参照）に基づいて算出することができる。図６において、横軸は情報を閲覧してからの経過時間を示し、縦軸は情報を記憶している人の割合を示す。図６において、情報を閲覧してからの時間を、情報を表示してからの経過時間とし、情報を表示してからの経過時間がａである場合に、その情報を記憶している人の割合がＡ（％）であるとする。この場合、制御部１３は、例えば、１００−Ａ（％）を、その情報の忘却率として算出する。この忘却率が高い情報は、人が忘却してしまっている可能性が高いため、制御部１３は、その情報の優先度が高くなるようにする。なお、人が忘却してしまっている可能性の高い情報の忘却率は、情報表示装置１０の使用目的などによって、適宜、設定することができる。
【００４２】
次に、制御部１３は、各受信メールのタグ情報に基づいて忘却率に重み付けを行う（ステップＳ５３）。重み付けを行う方法の一例として、受信メールのタグ情報に含まれるタグごとに予め設定された点数を加算し、その受信メールの忘却率にその加算値を乗算するという方法がある。また、別の方法として、受信メールの忘却率を点数化し、上述した加算値を加算するという方法がある。
【００４３】
次に、制御部１３は、各受信メールのタグ情報に基づいて忘却率に重み付けした値を優先度とし（ステップＳ５４）、各受信メールの優先度に応じて、各受信メールの表示順序を決定する（ステップＳ５５）。
【００４４】
次に、制御部１３は、決定した表示順序に従い、例えば、表示順序の高い受信メールから順にＮ件の受信メールの件名の一覧を表示部１２に表示させる（ステップＳ５６）。制御部１３は、表示部１２に件名が表示された受信メール（メールクライアントの受信メールの件名の一覧表示画面で、使用者がスクロールなどの操作を行うことなしに、視認することができる範囲に件名が表示される受信メール）が閲覧されたものとし、記憶部１１に記憶されているその受信メールの過去の表示時刻についてのデータを更新する。
【００４５】
次に、制御部１３は、タグ情報に変更があるか否かを判定する（ステップＳ５７）。なお、タグ情報の変更は、例えば、件名が表示された受信メールが選択され、その受信メールの本文が表示部１２に表示されることで、その受信メールの属性が未読から既読した場合などに起こる。また、タグ情報は、使用者により変更されることもある。
【００４６】
タグ情報に変更がない場合には（ステップＳ５７：Ｎｏ）、制御部１３は、処理を終了する。
【００４７】
タグ情報に変更がある場合には（ステップＳ５７：Ｙｅｓ）、制御部１３は、変更内容に基づいて、記憶部１１に記憶されているタグ情報を更新した後、処理を終了する（ステップＳ５８）。
【００４８】
なお、受信メールの並び替えを行うタイミングと頻度については、上述したメールクライアントの起動時のほかに、受信メールの件名の一覧が表示された状態で所定時間以上が経過したタイミングなどがある。
【００４９】
また、上述したように、タグ情報は、使用者が設定することができる。そのため、例えば、再確認する必要のない受信メールについては、使用者は、並び替え対象外である旨を示すタグを設定すればよい。制御部１３は、並び替え対象外である旨を示すタグが設定された受信メールについては並び替えの対象から除外する。そのため、再確認する必要のない受信メールが上位に表示されることがなくなり、必要な受信メール（情報）のみが上位に表示されるようにすることができる。また、使用者が情報を思い出したい時期を受信メールのタグで指定しておき、制御部１３は、タグで指定された時期になるとその受信メールを並び替えの対象に含めるようにしてもよい。
【００５０】
次に、情報表示装置１０が電光掲示板であり、表示対象の情報がニュースなどの記事や広告などの記事・広告情報である場合を例として説明する。
【００５１】
制御部１３は、記事・広告情報が入力されると、その記事・広告情報に関するデータを記憶部１１に記憶させる。
【００５２】
図７は、記憶部に記憶されるデータの構成の一例を示す図である。
【００５３】
図７に示すように、記憶部１１は、記事・広告情報ごとに、記事や広告のタイトル、記事や広告の本文、入力時刻、タグ情報、および、過去のその記事や広告の表示時刻などを記憶する。タグ情報とは、記事や広告の属性を示す情報である。
【００５４】
図８は、図７に示すタグ情報の構成の一例を示す図である。
【００５５】
図８に示すように、記憶部１１は、記事・広告情報ごとに、タグ情報として、その記事・広告情報が並び替えの対象であるか否か、その記事・広告情報が新着であるか否か、その記事・広告情報の重要度、および、その記事・広告情報のジャンルなどを記憶する。
【００５６】
図９は、情報表示装置１０が表示する情報が記事・広告情報である場合の情報表示装置１０の動作の一例を示すフローチャートである。
【００５７】
所定のタイミングになると、制御部１３は、各記事・広告情報の入力時刻、過去の表示時刻およびタグ情報に関するデータを記憶部１１から取得する（ステップＳ９１）。
【００５８】
次に、制御部１３は、各記事・広告情報の入力時刻および過去の表示時刻に基づいて、各記事・広告情報の忘却率を算出する（ステップＳ９２）。
【００５９】
次に、制御部１３は、各記事・広告情報のタグ情報に基づいて忘却率に重み付けを行う（ステップＳ９３）。重み付けを行う方法の一例として、記事・広告情報のタグ情報に含まれるタグごとに予め設定された点数を加算し、その記事・広告情報の忘却率にその加算値を乗算するという方法がある。また、別の方法として、記事・広告情報の忘却率を点数化し、上述した加算値を加算するその点数を合算するという方法がある。
【００６０】
次に、制御部１３は、各記事・広告情報のタグ情報に基づいて各記事・広告情報の忘却率に重み付けした値を優先度とし（ステップＳ９４）、各記事・広告情報の優先度に応じて、各記事・広告情報の表示順序を決定する（ステップＳ９５）。
【００６１】
次に、制御部１３は、決定した表示順序に従い、例えば、表示順序が上位の記事・広告情報から順に、Ｎ件の記事・広告情報を、１件ずつ、表示部１２に表示させる（ステップＳ９６）。
【００６２】
次に、制御部１３は、表示部１２に表示された記事・広告情報が閲覧されたものとし、記憶部１１に記憶されているその記事・広告情報の過去の表示時刻についてのデータを更新する（ステップＳ９７）。
【００６３】
なお、記事・広告情報の並び替えを行うタイミングと頻度については、１または複数件の記事・広告情報の表示が終わった時点とすることが考えられる。ただし、記事・広告情報を１件表示するごとに並べ替えを行うとすると、優先度の低い記事・広告情報が全く表示されない可能性がある。そのため、制御部１３は、例えば、所定時間内に一度は、すべての記事・広告情報が表示されるように、表示順序を決定する。
【００６４】
このように本実施形態によれば、情報表示装置１０は、入力された情報ごとに、その情報の入力時刻と過去の表示時刻とに基づいて、各情報の優先度を算出し、算出した優先度に応じて情報の表示順序や表示頻度を決定する。
【００６５】
一般に、人が情報を記憶する際の記憶の定着の度合いに関して、その情報を閲覧した直後は、その情報を記憶しているが、時間が経つにつれて、忘却していくという傾向がある。そのため、情報の入力時刻と過去の表示時刻とに基づいて算出した優先度の順に情報を表示することで、新たに入力された情報や使用者が忘却している可能性の高い情報を優先的に表示することができるので、使用者が情報を見落としたり忘却したりする可能性を低減することができる。また、情報の入力時刻と過去の表示時刻とに基づいて算出した優先度に基づいて情報の表示頻度を決定することで、例えば、表示が開始されてからの経過時間が短かったり、長期間表示されていなかったりして、人の記憶に定着していない情報の表示頻度を上げることができるので、使用者が情報を見落としたり忘却したりする可能性を低減することができる。
【００６６】
なお、本実施形態においては、表示部１２に情報が表示されることで、その情報が閲覧されたものとする例を用いて説明したが、これに限られるものではない。例えば、情報表示装置１０に使用者の顔を撮影するカメラなどの撮影部を設け、撮影部の撮影画像から使用者の視線方向を検出し、その検出結果から、表示部１２に表示された情報が実際に使用者に視認されたか否かを判定するようにしてもよい。また、情報の一覧が表示された状態で、情報を選択する旨が入力されると、その情報の詳細を表示するようにし、詳細を表示した情報が閲覧されたものとするようにしてもよい。また、情報表示装置１０が電光掲示板である場合には、例えば、ＧＰＳ（Global Positioning System）機能を有する携帯電話などの他の装置から位置情報を取得し、その位置情報に示される位置が情報表示装置１０の周囲の所定範囲内にある場合には、その他の装置の所有者により情報が閲覧されたものとするようにしてもよい。
【符号の説明】
【００６７】
１０    情報表示装置
１１    記憶部
１２    記憶部
１３    制御部
【図１】
2013205734.tif 000003
【図２】
2013205734.tif 000004
【図３】
2013205734.tif 000005
【図４】
2013205734.tif 000006
【図５】
2013205734.tif 000007
【図６】
2013205734.tif 000008
【図７】
2013205734.tif 000009
【図８】
2013205734.tif 000010
【図９】
2013205734.tif 000011